【手続補正書】
【提出日】平成24年6月4日(2012.6.4)
【手続補正１】
【補正対象書類名】特許請求の範囲
【補正対象項目名】全文
【補正方法】変更
【補正の内容】
【特許請求の範囲】
【請求項１】
シリコーンハイドロゲル材料（ここで、シリコーンハイドロゲル材料は、（１）少なくとも一つのシリコーン含有モノマー、少なくとも一つのシリコーン含有マクロマー、少なくとも一つのシリコーン含有プレポリマー又はそれらの組み合わせ、及び（２）化学線架橋性基を有しない第一の加水分解性ポリマー、一つの化学線架橋性基しか有しない第二の加水分解性ポリマー又はそれらの組み合わせを含むレンズ形成材料を重合させることによって得られる）；並びに
第一の親水性ポリマー及び／又は第二の親水性ポリマー（ここで、第一及び第二の親水性ポリマーは、互いに独立して、得られたシリコーンハイドロゲル材料中の第一又は第二の加水分解性ポリマーを加水分解によって親水性ポリマーに転換することによって誘導され、シリコーンハイドロゲル材料中の第一又は第二の親水性ポリマーは、硬化後の表面処理なしで、シリコーンハイドロゲルコンタクトレンズに親水面を付与することができる）を含む、シリコーンハイドロゲルコンタクトレンズ。
【請求項２】
第一の加水分解性ポリマーが５，０００〜１，０００，０００ダルトンの分子量を有し、第二の加水分解性ポリマーが５００〜２０，０００ダルトンの分子量を有する、請求項１記載のシリコーンハイドロゲルコンタクトレンズ。
【請求項３】
第一の加水分解性ポリマーが、フタル酸ヒドロキシプロピルメチルセルロース（ＨＰＭＣＰ）、酢酸フタル酸セルロース（ＣＡＰ）、ポリ（酢酸フタル酸ビニル）（ＰＡＶＰ）、ポリ（酢酸ビニル）（ＰＶＡＣ）、ビニルピロリドン／酢酸ビニルのコポリマー、ポリ酸無水物及びポリ酸無水物コポリマー、式（１）
【化４】
2011528815.tif 000001
（式中、1Ｒは、Ｈ又はＣＨ3であり、−Ｌ−は、−Ｏ−又は
【化５】
2011528815.tif 000002
であり、2Ｒは、トリメチルシリル基（−Ｓｉ（ＣＨ3）3）又は少なくとも一つのトリメチルシリルオキシ、トリメチルシリルアミノ基もしくはトリメチルシリル−Ｃ1〜Ｃ7アルキルアミノ基によって置換されているＣ4〜Ｃ25アルキルであり、3Ｒは、Ｈ又はＣ1〜Ｃ8アルキル基である）
のビニルモノマーのホモポリマー、式（１）のビニルモノマーと一つ以上のビニルモノマーとのコポリマー及びそれらの組み合わせからなる群より選択される、請求項２記載のシリコーンハイドロゲルコンタクトレンズ。
【請求項４】
第一又は第二の加水分解性ポリマーが、オートクレーブ中、シリコーンハイドロゲルコンタクトレンズを収容する一次パッケージ中で親水性ポリマーに加水分解される、請求項２記載のシリコーンハイドロゲルコンタクトレンズ。
【請求項５】
少なくとも４０barrerの酸素透過度、０．３MPa〜１．５MPaの弾性率、少なくとも１．５×１０-6mm2/minのイオノフラックス拡散係数Ｄを特徴とするイオン透過度、１５％〜６０％の含水率、９０°以下の平均水接触角を有することを特徴とする表面親水性及びそれらの組み合わせからなる群より選択される少なくとも一つの性質を有する、請求項２記載のシリコーンハイドロゲルコンタクトレンズ。
【請求項６】
レンズ形成材料が、Ｎ，Ｎ−ジメチルアクリルアミド（ＤＭＡ）、２−ヒドロキシエチルメタクリレート（ＨＥＭＡ）、２−ヒドロキシエチルアクリレート（ＨＥＡ）、ヒドロキシプロピルアクリレート、ヒドロキシプロピルメタクリレート（ＨＰＭＡ）、トリメチルアンモニウム２−ヒドロキシプロピルメタクリレート塩酸塩、アミノプロピルメタクリレート塩酸塩、ジメチルアミノエチルメタクリレート（ＤＭＡＥＭＡ）、グリセロールメタクリレート（ＧＭＡ）、Ｎ−ビニル−２−ピロリドン（ＮＶＰ）、ジメチルアミノエチルメタクリルアミド、アクリルアミド、メタクリルアミド、アリルアルコール、ビニルピリジン、Ｎ−（１，１−ジメチル−３−オキソブチル）アクリルアミド、アクリル酸、２００〜１，５００の重量平均分子量を有するＣ1〜Ｃ4アルコキシポリエチレングリコール（メタ）アクリレート、メタクリル酸、Ｎ−ビニルホルムアミド、Ｎ−ビニルアセトアミド、Ｎ−ビニルイソプロピルアミド、Ｎ−ビニル−Ｎ−メチルアセトアミド、アリルアルコール及びＮ−ビニルカプロラクタムからなる群より選択される少なくとも一つの親水性ビニルモノマーを含む、請求項２記載のシリコーンハイドロゲルコンタクトレンズ。
【請求項７】
レンズ形成材料が、メチルアクリレート、エチルアクリレート、プロピルアクリレート、イソプロピルアクリレート、シクロヘキシルアクリレート、２−エチルヘキシルアクリレート、メチルメタクリレート、エチルメタクリレート、プロピルメタクリレート、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリレート、イソボルニルメタクリレート、トリフルオロエチルメタクリレート、ヘキサフルオロ−イソプロピルメタクリレート、ヘキサフルオロブチルメタクリレート、トリス−トリメチルシリルオキシ−シリル−プロピルメタクリレート、３−メタクリルオキシプロピル−ペンタメチル−ジシロキサン及びビス（メタクリルオキシプロピル）テトラメチル−ジシロキサンからなる群より選択される少なくとも一つの疎水性ビニルモノマーを含む、請求項２記載のシリコーンハイドロゲルコンタクトレンズ。
【請求項８】
レンズ形成材料が、抗菌剤、架橋剤、連鎖移動剤、開始剤、ＵＶ吸収剤、視認用ティント剤及びそれらの混合物からなる群より選択される少なくとも一つのメンバーを含む、請求項２記載のシリコーンハイドロゲルコンタクトレンズ。
【請求項９】
レンズ形成材料が、一つの架橋性基しか有しない第二の加水分解性ポリマーを含み、第二の加水分解性ポリマーがシリコーンハイドロゲル材料のポリマーマトリックスに共有結合的に固着しており、第二の親水性ポリマーが、得られたシリコーンハイドロゲル材料中の第二の加水分解性ポリマーを加水分解によって第二の親水性ポリマーに転換することにより、第二の加水分解性ポリマーから誘導され、シリコーンハイドロゲル材料中の第二の親水性ポリマーが、硬化後の表面処理なしで、シリコーンハイドロゲルコンタクトレンズに親水面を付与することができる、請求項１記載のシリコーンハイドロゲルコンタクトレンズ。
【請求項１０】
レンズ形成材料が、一つの架橋性基しか有しない第一の加水分解性ポリマーを含み、第一の親水性ポリマーが、得られたシリコーンハイドロゲル材料中の第一の加水分解性ポリマーを加水分解によって第一の親水性ポリマーに転換することにより、第一の加水分解性ポリマーから誘導され、シリコーンハイドロゲル材料中の第一の親水性ポリマーが、硬化後の表面処理なしで、シリコーンハイドロゲルコンタクトレンズに親水面を付与することができる、請求項１記載のシリコーンハイドロゲルコンタクトレンズ。
【請求項１１】
シリコーンハイドロゲルコンタクトレンズを製造する方法であって、
（ａ）第一の型半部及び第二の型半部を有する型を得るステップ（ここで、第一の型半部は第一の成形面を含み、第二の型半部は第二の成形面を含み、第一及び第二の型半部は、第一の成形面と第二の成形面との間にレンズ成形キャビティが形成されるように互いを受け入れるように構成されている）、
（ｂ）シリコーンハイドロゲルレンズ形成材料を型のレンズ形成キャビティ中に分配するステップ（ここで、シリコーンハイドロゲルレンズ形成材料は、非架橋性加水分解性ポリマー並びに、シリコーン含有モノマー、シリコーン含有マクロマー、シリコーン含有プレポリマー及びそれらの混合物からなる群より選択される少なくとも一つのメンバーを含む）、
（ｃ）レンズ形成キャビティ内のレンズ形成材料を硬化させて、非架橋性加水分解性ポリマーを含有するシリコーンハイドロゲルコンタクトレンズを形成するステップ、及び
（ｄ）シリコーンハイドロゲルコンタクトレンズ中の非架橋性加水分解性ポリマーを親水性ポリマーに転換するステップ
を含み、それにより、シリコーンハイドロゲルコンタクトレンズ中の親水性ポリマーが、硬化後の表面処理なしで、シリコーンハイドロゲルコンタクトレンズに親水面を付与することができる方法。
【請求項１２】
型が再使用可能であり、硬化ステップが化学線の空間的限定によって実施される、請求項１１記載の方法。
【請求項１３】
第一又は第二の加水分解性ポリマーが、オートクレーブ中、シリコーンハイドロゲルコンタクトレンズを収容する一次パッケージ中で親水性ポリマーに加水分解される、請求項１１記載の方法。
【請求項１４】
第一の加水分解性ポリマーが５，０００〜１，０００，０００ダルトンの分子量を有し、第二の加水分解性ポリマーが５００〜２０，０００ダルトンの分子量を有する、請求項１１記載の方法。
【請求項１５】
第一の加水分解性ポリマーが、フタル酸ヒドロキシプロピルメチルセルロース（ＨＰＭＣＰ）、酢酸フタル酸セルロース（ＣＡＰ）、ポリ（酢酸フタル酸ビニル）（ＰＡＶＰ）、ポリ（酢酸ビニル）（ＰＶＡＣ）、ビニルピロリドン／酢酸ビニルのコポリマー、ポリ酸無水物及びポリ酸無水物コポリマー、式（１）
【化６】
2011528815.tif 000003
（式中、1Ｒは、Ｈ又はＣＨ3であり、−Ｌ−は、−Ｏ−又は
【化７】
2011528815.tif 000004
であり、2Ｒは、トリメチルシリル基（−Ｓｉ（ＣＨ3）3）又は少なくとも一つのトリメチルシリルオキシ、トリメチルシリルアミノ基もしくはトリメチルシリル−Ｃ1〜Ｃ7アルキルアミノ基によって置換されているＣ4〜Ｃ25アルキルであり、3Ｒは、Ｈ又はＣ1〜Ｃ8アルキル基である）
のビニルモノマーのホモポリマー、式（１）のビニルモノマーと一つ以上のビニルモノマーとのコポリマー及びそれらの組み合わせからなる群より選択される、請求項１４記載の方法。